(57)【要約】      （修正有）【課題】組立が簡単で且つ多種の設置使用方式に適用するライトハウジング構造を提供する。【解決手段】ライトハウジング構造は、一第一透光カバー３０の周囲に複数個の連接するフレーム条２０を設置し、更に複数個の掛合部品４０は各フレーム条の箇所にフレーム条及び第一透光カバーの掛合部をそれぞれ差し込む。簡単に掛合接合して組み立てができ、壁面、天井，もしくは金網格子位置に嵌入して使用する。【選択図】図１
0003174520.tif 000002
【実用新案登録請求の範囲】
【請求項１】
第一透光カバー、預定數量のフレーム条，及び預定數量の掛合部品を含むライトハウジング構造において、そのうち、
該第一透光カバーの周囲に相互に接続し，内側面には該照明板を嵌入するための差込槽を設置し，そのうち段箇所に少なくとも一掛合部を設置する各フレーム条と、
その周囲の各フレーム条の中段の対応する箇所に掛合部を設置する第一透光カバーと、
各フレーム条の掛合部箇所にそれぞれ設置し、フレーム条の掛合部と相互に掛合するための第一掛合体と、そして第一透光カバーの掛合部と相互に接合するための第二掛合体を設置する各係合部品を含むことを特徴とするライトハウジング構造。
【請求項２】
第一透光カバー、預定數量のフレーム条、一第二透光カバー，及び預定數量の掛合部品を含むライトハウジング構造において、そのうち、
該第一透光カバーの周囲に相互に接続し，内側面には該照明板を嵌入するための差込槽を設置し，そのうち段箇所に少なくとも一掛合部を設置する各フレーム条と、
その周囲の各フレーム条の中段の対応する箇所に掛合部を設置する第一透光カバーと、
該第一透光カバーと相互に合わさる輪郭形状を備え、それを該第一透光カバーの別一面に嵌合し、その周囲の各フレーム条の中段に対応する箇所に掛合部を設置する第二透光カバーと、
各フレーム条の掛合部箇所にそれぞれ設置し，フレーム条の掛合部と相互に掛合する第一掛合体を設置し、別に第一透光カバーの掛合部及び第二透光カバーの掛合部と相互に接合する第二掛合体を二個それぞれ設置する各係合部品を含むことを特徴とするライトハウジング構造。
【請求項３】
第一透光カバー、預定數量のフレーム条、一防塵カバー，及び預定數量の掛合部品を含むライトハウジング構造において、そのうち、
該第一透光カバーの周囲に相互に接続し，内側面には該照明板を嵌入するための差込槽、及び防塵カバーを嵌入するための嵌入槽を設置し、そのうちの段箇所に少なくとも一掛合部を設置する各フレーム条と、
その周囲の各フレーム条の中段の対応する箇所に掛合部を設置する第一透光カバーと、
片体であり、該第一透光カバーの別一面に嵌合する防塵カバーと、
それぞれ各フレーム条の掛合部箇所に設置し、各々は掛合部と相互に掛合するための第一掛合体を設置し、別に第一透光カバーの掛合部と相互に接合するための第二掛合体を設置する預定數量の掛合部品を含むことを特徴とするライトハウジング構造。
【請求項４】
前記各フレーム条は、一端に少なくとも一凸塊を設置し、凸塊に相対する別一端に、凸塊と対応する少なくとも一凹部を設置することを特徴とする請求項１、２もしくは３記載のライトハウジング構造。
【請求項５】
前記各フレーム条は、両端に近い内側面にそれぞれ上、下に貫通する穿孔を設置し、及び掛合部に相対する内側面に上、下に貫通する穿孔を設置することを特徴とする請求項１、２もしくは３記載のライトハウジング構造。
【請求項６】
前記各フレーム条は、少なくともその底面に第一透光カバー枠縁を嵌入するための定位溝槽を設置することを特徴とする請求項１、２もしくは３記載のライトハウジング構造。
【考案の詳細な説明】
【技術分野】
【０００１】
本考案は、ライトハウジング構造に関するもので、特に組み立てが簡単で且つ多種の設置使用方式に適用されるライトハウジング構造に係わる。
【背景技術】
【０００２】
現代生活の中で、最も普遍的な電子設備といえば照明に用いる器具であろう。照明器具を用いることによって、現代人の仕事や余暇の時間を引き延ばし、日照時間だけであったのを解決した。そして、一般家庭、商店等で照明器具は使用され、また、オフィスやデパート展示場、売り場にも大量の照明器具が使用されている。
【０００３】
商業空間や居住空間に関わりなく、空間の規格に基づいて不規則な数の照明器具を設置することで、照明器具が発する光線や方向を利用し、空間及び動線規格を達成できるようになり、照明具の選択は日々多様化している。
【０００４】
現在、使用されている数々の照明具は、様々な使用機能(用途)、設置場所，及び外観形状が異なる。拠ってそのライトハウジングのデザインもまた異なり、相互に共有して使用することができない(応用性が低い)。そのため、設置位置や照明主体が変われば、ライトハウジングも別のタイプのものを購入して空間規格の要求に応えなければならない。
【考案の概要】
【考案が解決しようとする課題】
【０００５】
解決しようとする問題点は、設置位置が変わったり、照明主体が変わったりすれば、ライトハウジングも交換しなければならず、そのほとんどは他の用途で使用できないため、廃棄しなければならず、不必要な設備コストがかかり、資源の浪費となる点である。拠って多種に適用するライトハウジングを提案することを本考案の課題とする。
【課題を解決するための手段】
【０００６】
本考案は、少なくとも一第一透光カバーの周囲に複数個の連接するフレーム条を設置し、更に複数個の掛合部品は各フレーム条の箇所にフレーム条及び第一透光カバーの掛合部をそれぞれ差し込む。簡単に掛合接合して組み立てができ、壁面、天井，もしくは金網格子位置に嵌入して使用することを主な特徴とする。
【考案の効果】
【０００７】
本考案のライトハウジング構造は、以下の利点がある。
１.掛合接合が簡単ですぐに組立が完成し、更に組立コストも低い。
２.壁面、天井，もしくは金網格子位置に嵌入使用でき、ワイヤーロープで吊り下げて使用することもできるため、適用性及び実用性が広がる。
【図面の簡単な説明】
【０００８】
【図１】本考案の第一実施例のライトハウジング構造外観立体図である。
【図２】本考案の第一実施例ライトハウジング構造の構造分解図である。
【図３】本考案の第二実施例のライトハウジング構造外観立体図である。
【図４】本考案の第二実施例ライトハウジング構造の構造分解図である。
【図５】本考案の第三実施例のライトハウジング構造外観立体図である。
【図６】本考案の第三実施例ライトハウジング構造の構造分解図である。
【図７】本考案の良好な一実施例のフレーム条外観構造図である。
【図８】本考案のフレーム条の局部拡大指示図である。
【図９】本考案の良好な一実施例のフレーム条構造断面図である。
【図１０】本考案のライトハウジング構造を天井に設置した使用状態参考図である。
【図１１】本考案のライトハウジング構造を金網格子位置に嵌入した使用状態参考図である。
【図１２】本考案のライトハウジング構造を垂直に吊掛使用した状態参考図である。
【図１３】本考案のライトハウジング構造を水平に吊掛使用した状態参考図である。
【図１４】本考案の別一実施例のフレーム条外観構造図である。
【図１５】本考案の別一実施例の水平吊掛使用状態参考図である。
【図１６】本考案の別一実施例の水平吊掛使用状態参考図である。
【考案を実施するための形態】
【０００９】
組立が簡単で、且つ多種の設置使用方式に適用するライトハウジング構造を提供することを本考案の主な目的とする。
【００１０】
上述の目的を達成するため、本考案のライトハウジング構造は基本的に第一透光カバー、預定數量のフレーム条，及び預定數量の掛合部品を含む。そのうち，各フレーム条は該第一透光カバーの周囲に相互に接続して囲み、各フレーム条の内側面には該照明板を嵌入するための差込槽及び防塵カバーを嵌入するための嵌入槽を設置する。各フレーム条は、少なくとも一段箇所に掛合部を設置する。該第一透光カバーは、その周囲の各フレーム条に対応する中段箇所に掛合部を設置する。各掛合部品は各フレーム条の掛合部箇所にそれぞれ設置し、各掛合部品はフレーム条の掛合部と相互に掛合するための第一掛合体，そして第一透光カバーの掛合部と相互に接合するための第二掛合体を設置する。簡単な接合作業によって組立が完成し、壁面、天井，もしくは金網格子位置に嵌入して使用するライトハウジング構造を提供する。
【００１１】
本考案のライトハウジング構造は、上述の基本構造の他に、更に第二透光カバーを含む。該第二透光カバーは該第一透光カバーと相互に合致する輪郭形状を備え、該第一透光カバーの別一面に嵌合し、該第二透光カバーは周囲の各フレーム条の中段に対応する箇所に少なくとも一掛合部を設置する。更に、各掛合部品はフレーム条の掛合部と相互に掛合するための第一掛合体の他に、別に第一透光カバーの掛合部及び第二透光カバーの掛合部と相互に接合するための第二掛合体を二個それぞれ設置する。これらによって、ライトハウジング全体が両面出光の照明効果を備える。
【００１２】
本考案のライトハウジング構造は、上述の基本構成の他に、更に防塵カバーを含み、該防塵カバーは片体とする。それは該第一透光カバーの別一面に設置し、該防塵カバーはその周囲の各フレーム条の内側に対応する箇所に少なくとも一防塵カバー嵌入槽を設置し、及び各掛合部品は、フレーム条の掛合部と相互に掛合するための第一掛合体を設置する他に、別に第一透光カバーの掛合部と相互に接合するための第二掛合体を設置する。防塵カバーを構成することによって遮蔽作用を備え、更にライトハウジング構造の外型を更に美しく完全にする。
【実施例１】
【００１３】
本考案の特徴を図式と共に実施例を挙げて詳細に説明する。
図１は、本考案第一実施例のライトハウジング構造外観立体図で、図２は本考案第一実施例のライトハウジング構造の構造分解図である。本考案は、主に遮蔽作用を備えて照明具に対応する照明板１０の他に，更にフレーム条２０、第一透光カバー３０及び掛合部品４０の接合構造によって簡単に組立て多種の設置使用方式に適用するライトハウジング構造を提供する。本考案のライトハウジング構造は、基本的に預定數量のフレーム条２０、少なくとも一第一透光カバー３０，及び預定數量の掛合部品４０を含む。そのうち、
【００１４】
各フレーム条２０は、該第一透光カバーの周囲に相互に連接し、各フレーム条２０の内側面には照明板１０を嵌入するための差込槽２１を成形し、各フレーム条２０の段箇所には更に少なくとも一掛合部２２を設置する。
【００１５】
該第一透光カバー３０は、主にライトハウジング構造全体の出光面となり、該第一透光カバー３０の周囲は各フレーム条２０の中段箇所に対応して少なくとも一掛合部３１を設置する。
【００１６】
更に、各掛合部品４０は各フレーム条２０の掛合部２２箇所にそれぞれ設置し、各掛合部品４０にはフレーム条２０の掛合部２２と相互に掛合支持する第一掛合体４１、そして第一透光カバー３０の掛合部３１と相互に接合する第二掛合体４２を設置する。
【００１７】
原則的に、本考案が応用する照明板１０は光電子部品、及び光電子部品と電気連接する駆動回路を設置するのに用いられる。実施時、該照明板１０は預定數量の光電子部品の構築，及び駆動回路の印刷電路板の構築のためでもよく、更に少なくとも二個の相対するポイントでフレーム条２０の差込槽２１に嵌入するだけで、ライトハウジングと組立て固定の目的を達成することもできる。
【００１８】
上述の主な構造特徴を利用することで、本考案のライトハウジング構造は、第一透光カバー３０の周囲に複数個のフレーム条２０で覆い、更に複数個の掛合部品４０を各フレーム条２０箇所のフレーム条２０及び第一透光カバー３０の掛合部２２、３１に差し込むと、簡単に掛合接合されて組立が完成する。図１０は天井７１(もしくは壁面)に設置したもので、図１１は金網７２の格子位置に嵌入したライトハウジング構造である。
【００１９】
本考案のライトハウジング構造は、実施時、上述の実施例の基本構造を除き、下述の異なる実施例の構造がある。
【実施例２】
【００２０】
図３及び図４に示すとおり、本考案のライトハウジング構造は預定數量のフレーム条２０、第一透光カバー３０、第二透光カバー５０，及び預定數量の掛合部品４０を含む。そのうち、
【００２１】
各フレーム条２０は、該第一透光カバーの周囲に相互に連接し、各フレーム条２０の内側面には照明板１０を嵌入するための差込槽２１を成形し、各フレーム条２０の段箇所には更に少なくとも一掛合部２２を設置する。
【００２２】
該第一透光カバー３０は、主にライトハウジング構造全体の出光面となり、該第一透光カバー３０の周囲は各フレーム条２０の中段箇所に対応して少なくとも一掛合部３１を設置する。
【００２３】
該第二透光カバー５０は、該第一透光カバー３０と相互に合わさる輪廓で、該第一透光カバー３０の別一面に嵌合して設置され、且つ該第二透光カバー５０も同様に少なくともその周囲の各フレーム条２０に対応する中段箇所に掛合部５１を設置する。
【００２４】
各掛合部品４０については、各フレーム条２０の掛合部２２箇所にそれぞれ設置し、各掛合部品４０にはフレーム条２０の掛合部２２と相互に掛合する第一掛合体４１、そして第一透光カバー３０の掛合部３１及び第二透光カバー５０の掛合部５１の二箇所に相互に接合する第二掛合体４２を設置する。
【００２５】
本実施例のライトハウジング構造は、主に照明板１０の二板面箇所にそれぞれ第一透光カバー３０及び第二透光カバー５０を設置し、該照明板１０の二板面に合わせてどちらにも預定數量の光電子部品を設置構築することで、照明器具全体に両面出光の照明効果を備える。
【実施例３】
【００２６】
図５及び図６に示すとおり、本考案のライトハウジング構造は預定數量のフレーム条２０、第一透光カバー３０、防塵カバー６０，及び預定數量の掛合部品４０を含む。そのうち、
【００２７】
各フレーム条２０は、該第一透光カバーの周囲に相互に連接し、各フレーム条２０の内側面には照明板１０を嵌入するための差込槽２１を成形し、各フレーム条２０の段箇所には更に少なくとも一掛合部２２を設置する。
【００２８】
該第一透光カバー３０は、主にライトハウジング構造全体の出光面となり、該第一透光カバー３０の周囲は各フレーム条２０の中段箇所に対応して少なくとも一掛合部３１を設置する。
【００２９】
該防塵カバー６０は片体で、該第一透光カバー３０の別一面に設置し、且つ該防塵カバー６０はその周囲の各フレーム条２０の対応する内側箇所に嵌入槽６１を設置する。
【００３０】
各掛合部品４０は、各フレーム条２０の掛合部２２箇所にそれぞれ設置し、各掛合部品４０にはフレーム条２０の掛合部２２と相互に掛合する第一掛合体４１、そして第一透光カバー３０の掛合部３１と掛合する第二掛合体４２を設置する。
【００３１】
本実施例のライトハウジング構造は、主に照明板１０に第一透光カバー３０の別一面を相対設置して防塵カバー６０で遮蔽して蓋をし、防塵カバー６０によって遮蔽作用を有し、ライトハウジング構造の外型を更に美しく完全にする。
【００３２】
図７の本考案は良好な一実施例のフレーム条の外観構造図に示すとおり、本考案のライトハウジング構造は、上述の各種実施例の構造形態に於いて、該各フレーム条２０一端には少なくとも一凸塊２３を設置し、各フレーム条２０の凸塊２３に相対する別一端に、凸塊２３と対応する少なくとも一凹部２４を設置し、該照明板各辺面のフレーム条を相互に連接し、ライトハウジング構造全体の組立強度を高める。
【００３３】
図８に示すとおり、本考案のライトハウジング構造は上述各種実施例の構造に於いて、前述各フレーム条２０は両端に近い内側面にそれぞれ上、下に貫通した穿孔２５を設置し、その穿孔２５に電源コードを差し込むか、もしくは図１２及び図１３に示すとおり、穿孔２５にワイヤー８０を差し込み、ライトハウジング構造を吊掛式で設置使用する。各フレーム条２０は、また掛合部に相対する内側面に上、下に貫通する穿孔(図略)を設置して，そこに電源コードもしくは回路を差し込み、設置使用する。
【００３４】
更に、本考案のライトハウジング構造は、上述の各種構造形態において、各フレーム条２０は図７に示すとおり、少なくとも、その底面に第一透光カバー枠縁を嵌入するための定位溝槽２６を設置し、第一透光カバーの定位効果を高める。本考案のライトハウジング構造は、上述第二実施例に示すように第二透光カバーを含む構造形態で、各フレーム条２０は、その底面に第一透光カバー枠縁を嵌入するための定位溝槽２６を設置する他に、各フレーム条２６はその最上面にも第二透光カバー枠縁を嵌入するための定位溝槽２６を設置し、第二透光カバーの定位効果を高める。
【００３５】
当然、本考案のライトハウジング構造は、上述第三実施例に示すとおり防塵カバーを含む構造形態で、各フレーム条２０はその最上面もしくは底面に第一透光カバー枠縁を嵌入するための定位溝槽２６を設置する他に、各フレーム条２０はその内側面にも防塵カバーを嵌入するための嵌入槽６１を設置して防塵カバーの定位効果を高める。
【００３６】
更に、本考案のライトハウジング構造は、上述各種構造形態に於いて、各フレーム条２０の掛合部２２は掛合孔である。各掛合部品４０の第一掛合体４１は一対の弾性板である。図９に示すとおり、第一透光カバー３０の掛合部３１は差込孔で、各掛合部品４０の第二掛合体４２則は差込桿である。
【００３７】
図９に示す本考案のライトハウジング構造は第二透光カバー５０を含む構造形態に於いて、前述第一透光カバー３０の掛合部３１及び該第二透光カバー５０の掛合部５１は差込孔で，各掛合部品４０の第二掛合体４２は差込桿である。
【００３８】
上述の各実施例に於いて、前述第一透光カバー３０は正多辺形の輪廓設計であるため、該第一透光カバー３０周囲に対応して囲むフレーム条２０は該第一透光カバー３０各辺面に貼り合うように直線状が良い。また該フレーム条２０は何重にも組み合わせて使用することができる(図１６参照)。当然、本考案は実施時に於いて、前述第一透光カバー３０は円形輪郭形状でもよいので、その時には該第一透光カバー３０周囲に対応して囲むフレーム条２０は図１４及び図１５に示すとおり、該第一透光カバー３０円弧面の湾曲形状に合わせ、本考案のライトハウジング構造は多種の造形変化の効果を得る。
【００３９】
従来の伝統的な構造と比較した場合、本考案のライトハウジング構造は簡単に掛合接合するだけで組立が完成し、組立が簡単なだけではなく、組立コストを下げることができる。更に、本考案のライトハウジング構造は壁面、天井、金網格子嵌入，もしくはワイヤーロープで吊り下げて使用できるため、適用性、実用性が非常に広くなる
【００４０】
上述のとおり、本考案は良好、実施可能なライトハウジング構造を提供し、実用新案を申請する。本考案の技術内容及び技術特徴は上記のとおりであるが、当領域に習熟した者が本考案の提示に基づく本考案の精神から乖離しない各種入替、修飾を行うかもしれない。拠って、本考案の保護範囲は実施例提示に制限されず、本考案から乖離しない各種入替及び修飾を含み、本考案の請求範囲に属するものとする。
【符号の説明】
【００４１】
１０        照明板
２０        フレーム条
２１        差込槽
２２        掛合部
２３        凸部
２４        凹部
２５        穿孔
２６        定位溝槽
３０        第一透光カバー
３１        掛合部
４０        掛合部品
４１        第一掛合体
４２        第二掛合体
５０        第二透光カバー
５１        掛合部
６０        防塵カバー
６１        嵌入槽
７１        天井
７２        金網
７３        立架
８０        ワイヤー
【図１】
0003174520.tif 000003
【図２】
0003174520.tif 000004
【図３】
0003174520.tif 000005
【図４】
0003174520.tif 000006
【図５】
0003174520.tif 000007
【図６】
0003174520.tif 000008
【図７】
0003174520.tif 000009
【図８】
0003174520.tif 000010
【図９】
0003174520.tif 000011
【図１０】
0003174520.tif 000012
【図１１】
0003174520.tif 000013
【図１２】
0003174520.tif 000014
【図１３】
0003174520.tif 000015
【図１４】
0003174520.tif 000016
【図１５】
0003174520.tif 000017
【図１６】
0003174520.tif 000018
【手続補正書】
【提出日】平成24年1月25日(2012.1.25)
【手続補正１】
【補正対象書類名】実用新案登録請求の範囲
【補正対象項目名】全文
【補正方法】変更
【補正の内容】
【実用新案登録請求の範囲】
【請求項１】
第一透光カバー、複数量のフレーム条，及び複数量の掛合部品を含むライトハウジング構造において、そのうち、
該第一透光カバーの周囲と相互に接続し，内側面には照明板を嵌入するための固定用溝を設置し，その中間部に少なくとも一つの掛合部を設置する各フレーム条と、
前記各フレーム条の前記掛合部に対応する箇所に掛合部を設置する第一透光カバーと、
各フレーム条の掛合部箇所にそれぞれ設置し、フレーム条の掛合部と相互に掛合するための第一掛合体と、そして第一透光カバーの掛合部と相互に接合するための第二掛合体を設置する各係合部品を含むことを特徴とするライトハウジング構造。
【請求項２】
第一透光カバー、複数量のフレーム条、第二透光カバー，及び複数量の掛合部品を含むライトハウジング構造において、そのうち、
該第一透光カバーの周囲と相互に接続し，内側面には照明板を嵌入するための固定用溝を設置し，その中間部に少なくとも一つの掛合部を設置する各フレーム条と、
前記各フレーム条の前記掛合部に対応する箇所に掛合部を設置する第一透光カバーと、
該第一透光カバーと相互に合わさる輪郭形状を備え、それを該第一透光カバーとは別の面に嵌合し、前記各フレーム条の前記掛合部に対応する箇所に掛合部を設置する第二透光カバーと、
各フレーム条の掛合部箇所にそれぞれ設置し，フレーム条の掛合部と相互に掛合する第一掛合体を設置し、別に第一透光カバーの掛合部及び第二透光カバーの掛合部と相互に接合する第二掛合体を二個それぞれ設置する各係合部品を含むことを特徴とするライトハウジング構造。
【請求項３】
第一透光カバー、複数量のフレーム条、一つの防塵カバー，及び複数量の掛合部品を含むライトハウジング構造において、そのうち、
該第一透光カバーの周囲と相互に接続し，内側面には照明板を嵌入するための固定用溝、及び防塵カバーを嵌入するための挿入溝を設置し、その中間部に少なくとも一つの掛合部を設置する各フレーム条と、
前記各フレーム条の前記掛合部に対応する箇所に掛合部を設置する第一透光カバーと、
片体であり、該第一透光カバーとは別の面に嵌合する防塵カバーと、
それぞれ各フレーム条の掛合部箇所に設置し、各々は掛合部と相互に掛合するための第一掛合体を設置し、別に第一透光カバーの掛合部と相互に接合するための第二掛合体を設置する複數量の掛合部品を含むことを特徴とするライトハウジング構造。
【請求項４】
前記各フレーム条は、一端に少なくとも一つの凸塊を設置し、凸塊に相対する別一端に、凸塊と対応する少なくとも一つの凹部を設置することを特徴とする請求項１、２もしくは３記載のライトハウジング構造。
【請求項５】
前記各フレーム条は、両端に近い内側面にそれぞれ上、下に貫通する穿孔を設置し、さらに掛合部に相対する内側面に上、下に貫通する穿孔を設置することを特徴とする請求項１、２もしくは３記載のライトハウジング構造。
【請求項６】
前記各フレーム条は、少なくともその底面に第一透光カバー枠縁を嵌入する固定用溝を設置することを特徴とする請求項１、２もしくは３記載のライトハウジング構造。
【手続補正２】
【補正対象書類名】明細書
【補正対象項目名】全文
【補正方法】変更
【補正の内容】
【考案の詳細な説明】
【技術分野】
【０００１】
本考案は、ライトハウジング構造に関するもので、特に組み立てが簡単で且つ多種の設置使用方式に適用されるライトハウジング構造に係わる。
【背景技術】
【０００２】
現代生活の中で、最も普遍的な電子設備といえば照明に用いる器具であろう。照明器具を用いることによって、現代人の仕事や余暇の時間を引き延ばし、日照時間だけであったのを解決した。そして、一般家庭、商店等で照明器具は使用され、また、オフィスやデパート展示場、売り場にも大量の照明器具が使用されている。
【０００３】
商業空間や居住空間に関わりなく、空間の規格に基づいて不規則な数の照明器具を設置することで、照明器具が発する光線や方向を利用し、空間及び動線規格を達成できるようになり、照明具の選択は日々多様化している。
【０００４】
現在、使用されている数々の照明具は、様々な使用機能(用途)、設置場所，及び外観形状が異なる。拠ってそのライトハウジングのデザインもまた異なり、相互に共有して使用することができない(応用性が低い)。そのため、設置位置や照明主体が変われば、ライトハウジングも別のタイプのものを購入して空間規格の要求に応えなければならない。
【考案の概要】
【考案が解決しようとする課題】
【０００５】
解決しようとする問題点は、設置位置が変わったり、照明主体が変わったりすれば、ライトハウジングも交換しなければならず、そのほとんどは他の用途で使用できないため、廃棄しなければならず、不必要な設備コストがかかり、資源の浪費となる点である。拠って多種に適用するライトハウジングを提案することを本考案の課題とする。
【課題を解決するための手段】
【０００６】
本考案は、少なくとも一第一透光カバーの周囲に複数個の連接するフレーム条を設置し、更に複数個の掛合部品は各フレーム条の箇所にフレーム条及び第一透光カバーの掛合部をそれぞれ差し込む。簡単に掛合接合して組み立てができ、壁面、天井，もしくは金網格子位置に嵌入して使用することを主な特徴とする。
【考案の効果】
【０００７】
本考案のライトハウジング構造は、以下の利点がある。
１.掛合接合が簡単ですぐに組立が完成し、更に組立コストも低い。
２.壁面、天井，もしくは金網格子位置に嵌入使用でき、ワイヤーロープで吊り下げて使用することもできるため、適用性及び実用性が広がる。
【図面の簡単な説明】
【０００８】
【図１】本考案の第一実施例のライトハウジング構造外観立体図である。
【図２】本考案の第一実施例ライトハウジング構造の構造分解図である。
【図３】本考案の第二実施例のライトハウジング構造外観立体図である。
【図４】本考案の第二実施例ライトハウジング構造の構造分解図である。
【図５】本考案の第三実施例のライトハウジング構造外観立体図である。
【図６】本考案の第三実施例ライトハウジング構造の構造分解図である。
【図７】本考案の良好な一実施例のフレーム条外観構造図である。
【図８】本考案のフレーム条の局部拡大指示図である。
【図９】本考案の良好な一実施例のフレーム条構造断面図である。
【図１０】本考案のライトハウジング構造を天井に設置した使用状態参考図である。
【図１１】本考案のライトハウジング構造を金網格子位置に嵌入した使用状態参考図である。
【図１２】本考案のライトハウジング構造を垂直に吊掛使用した状態参考図である。
【図１３】本考案のライトハウジング構造を水平に吊掛使用した状態参考図である。
【図１４】本考案の別一実施例のフレーム条外観構造図である。
【図１５】本考案の別一実施例の水平吊掛使用状態参考図である。
【図１６】本考案の別一実施例の水平吊掛使用状態参考図である。
【考案を実施するための形態】
【０００９】
組立が簡単で、且つ多種の設置使用方式に適用するライトハウジング構造を提供することを本考案の主な目的とする。
【００１０】
上述の目的を達成するため、本考案のライトハウジング構造は基本的に第一透光カバー、複数量のフレーム条，及び複数量の掛合部品を含む。そのうち，各フレーム条は該第一透光カバーの周囲と相互に接続して該第一透光カバーを囲み、各フレーム条の内側面には照明板を嵌入するための固定用溝及び防塵カバーを嵌入するための挿入溝を設置する。各フレーム条には、少なくとも一つの掛合部を設置する。該第一透光カバーには、その周囲の各フレーム条の前記掛合部に対応する箇所に掛合部を設置する。各掛合部品は各フレーム条の掛合部箇所にそれぞれ設置し、各掛合部品はフレーム条の掛合部と相互に掛合するための第一掛合体，そして第一透光カバーの掛合部と相互に接合するための第二掛合体を設置する。簡単な接合作業によって組立が完成し、壁面、天井，もしくは金網格子位置に嵌入して使用するライトハウジング構造を提供する。
【００１１】
本考案のライトハウジング構造は、上述の基本構造の他に、更に第二透光カバーを含む。該第二透光カバーは該第一透光カバーと相互に合致する輪郭形状を備え、該第一透光カバーとは別一面に嵌合し、該第二透光カバーは各フレーム条の掛合部に対応する箇所に少なくとも一つの掛合部を設置する。更に、各掛合部品はフレーム条の掛合部と相互に掛合するための第一掛合体の他に、別に第一透光カバーの掛合部及び第二透光カバーの掛合部と相互に接合するための第二掛合体を二個それぞれ設置する。これらによって、ライトハウジング全体が両面出光の照明効果を備える。
【００１２】
本考案のライトハウジング構造は、上述の基本構成の他に、更に防塵カバーを含み、該防塵カバーは片体とする。それは該第一透光カバーとは別の面に設置し、該防塵カバーはその周囲の各フレーム条の内側に対応する箇所に少なくとも一つの防塵カバー挿入溝を設置し、及び各掛合部品は、フレーム条の掛合部と相互に掛合するための第一掛合体を設置する他に、別に第一透光カバーの掛合部と相互に接合するための第二掛合体を設置する。防塵カバーを構成することによって遮蔽作用を備え、更にライトハウジング構造の外型を更に美しく完全にする。
【実施例１】
【００１３】
本考案の特徴を図式と共に実施例を挙げて詳細に説明する。
図１は、本考案第一実施例のライトハウジング構造外観立体図で、図２は本考案第一実施例のライトハウジング構造の構造分解図である。本考案は、主に遮蔽作用を備えて照明具に対応する照明板１０の他に，更にフレーム条２０、第一透光カバー３０及び掛合部品４０の接合構造によって簡単に組立て多種の設置使用方式に適用するライトハウジング構造を提供する。本考案のライトハウジング構造は、基本的に複数量のフレーム条２０、少なくとも一つの第一透光カバー３０，及び複数量の掛合部品４０を含む。そのうち、
【００１４】
各フレーム条２０は、該第一透光カバーの周囲と相互に連接し、各フレーム条２０の内側面には照明板１０を嵌入するための固定用溝２１を成形し、各フレーム条２０には更に少なくとも一つの掛合部２２を設置する。
【００１５】
該第一透光カバー３０は、主にライトハウジング構造全体の出光面となり、該第一透光カバー３０の周囲は各フレーム条２０の掛合部に対応して少なくとも一つの掛合部３１を設置する。
【００１６】
更に、各掛合部品４０は各フレーム条２０の掛合部２２箇所にそれぞれ設置し、各掛合部品４０にはフレーム条２０の掛合部２２と相互に掛合支持する第一掛合体４１、そして第一透光カバー３０の掛合部３１と相互に接合する第二掛合体４２を設置する。
【００１７】
原則的に、本考案が応用する照明板１０は光電子部品、及び光電子部品と電気連接する駆動回路を設置するのに用いられる。実施時、該照明板１０は複數量の光電子部品の構築，及び駆動回路の印刷電路板の構築のためでもよく、更に少なくとも二個の相対するポイントでフレーム条２０の固定用溝２１に嵌入するだけで、ライトハウジングと組立て固定の目的を達成することもできる。
【００１８】
上述の主な構造特徴を利用することで、本考案のライトハウジング構造は、第一透光カバー３０の周囲に複数個のフレーム条２０で覆い、更に複数個の掛合部品４０を各フレーム条２０箇所のフレーム条２０及び第一透光カバー３０の掛合部２２、３１に差し込むと、簡単に掛合接合されて組立が完成する。図１０は天井７１(もしくは壁面)に設置したもので、図１１は金網７２の格子位置に嵌入したライトハウジング構造である。
【００１９】
本考案のライトハウジング構造は、実施時、上述の実施例の基本構造を除き、下述の異なる実施例の構造がある。
【実施例２】
【００２０】
図３及び図４に示すとおり、本考案のライトハウジング構造は複数量のフレーム条２０、第一透光カバー３０、第二透光カバー５０，及び複数量の掛合部品４０を含む。そのうち、
【００２１】
各フレーム条２０は、該第一透光カバーの周囲と相互に連接し、各フレーム条２０の内側面には照明板１０を嵌入するための固定用溝２１を成形し、各フレーム条２０には少なくとも一つの掛合部２２を設置する。
【００２２】
該第一透光カバー３０は、主にライトハウジング構造全体の出光面となり、該第一透光カバー３０の周囲は各フレーム条２０の掛合部に対応して少なくとも一つの掛合部３１を設置する。
【００２３】
該第二透光カバー５０は、該第一透光カバー３０と相互に合わさる輪廓で、該第一透光カバー３０とは別の面に嵌合して設置され、且つ該第二透光カバー５０も同様に少なくともその周囲の各フレーム条２０の掛合部に対応する箇所に掛合部５１を設置する。
【００２４】
各掛合部品４０については、各フレーム条２０の掛合部２２箇所にそれぞれ設置し、各掛合部品４０にはフレーム条２０の掛合部２２と相互に掛合する第一掛合体４１、そして第一透光カバー３０の掛合部３１及び第二透光カバー５０の掛合部５１の二箇所に相互に接合する第二掛合体４２を設置する。
【００２５】
本実施例のライトハウジング構造は、主に照明板１０の二板面箇所にそれぞれ第一透光カバー３０及び第二透光カバー５０を設置し、該照明板１０の二板面に合わせてどちらにも複数量の光電子部品を設置構築することで、照明器具全体に両面出光の照明効果を備える。
【実施例３】
【００２６】
図５及び図６に示すとおり、本考案のライトハウジング構造は複數量のフレーム条２０、第一透光カバー３０、防塵カバー６０，及び複数量の掛合部品４０を含む。そのうち、
【００２７】
各フレーム条２０は、該第一透光カバーの周囲と相互に連接し、各フレーム条２０の内側面には照明板１０を嵌入するための固定用溝２１を成形し、各フレーム条２０には更に少なくとも一つの掛合部２２を設置する。
【００２８】
該第一透光カバー３０は、主にライトハウジング構造全体の出光面となり、該第一透光カバー３０の周囲は各フレーム条２０の掛合部に対応して少なくとも一つの掛合部３１を設置する。
【００２９】
該防塵カバー６０は片体で、該第一透光カバー３０とは別の面に設置し、且つ該防塵カバー６０はその周囲の各フレーム条２０の対応する内側箇所に挿入溝６１を設置する。
【００３０】
各掛合部品４０は、各フレーム条２０の掛合部２２箇所にそれぞれ設置し、各掛合部品４０にはフレーム条２０の掛合部２２と相互に掛合する第一掛合体４１、そして第一透光カバー３０の掛合部３１と掛合する第二掛合体４２を設置する。
【００３１】
本実施例のライトハウジング構造は、主に照明板１０に第一透光カバー３０の別一面を相対設置して防塵カバー６０で遮蔽して蓋をし、防塵カバー６０によって遮蔽作用を有し、ライトハウジング構造の外型を更に美しく完全にする。
【００３２】
図７の本考案は良好な一実施例のフレーム条の外観構造図に示すとおり、本考案のライトハウジング構造は、上述の各種実施例の構造形態に於いて、該各フレーム条２０一端には少なくとも一つの凸塊２３を設置し、各フレーム条２０の凸塊２３に相対する別一端に、凸塊２３と対応する少なくとも一つの凹部２４を設置し、該照明板各辺面のフレーム条を相互に連接し、ライトハウジング構造全体の組立強度を高める。
【００３３】
図８に示すとおり、本考案のライトハウジング構造は上述各種実施例の構造に於いて、前述各フレーム条２０は両端に近い内側面にそれぞれ上、下に貫通した穿孔２５を設置し、その穿孔２５に電源コードを差し込むか、もしくは図１２及び図１３に示すとおり、穿孔２５にワイヤー８０を差し込み、ライトハウジング構造を吊掛式で設置使用する。各フレーム条２０は、また掛合部に相対する内側面に上、下に貫通する穿孔(図略)を設置して，そこに電源コードもしくは回路を差し込み、設置使用する。
【００３４】
更に、本考案のライトハウジング構造は、上述の各種構造形態において、各フレーム条２０は図７に示すとおり、少なくとも、その底面に第一透光カバー枠縁を嵌入する固定用溝２６を設置し、第一透光カバーの位置を定める効果を高める。本考案のライトハウジング構造は、上述第二実施例に示すように第二透光カバーを含む構造形態で、各フレーム条２０は、その底面に第一透光カバー枠縁を嵌入する固定用溝２６を設置する他に、各フレーム条２６はその最上面にも第二透光カバー枠縁を嵌入する固定用溝２６を設置し、第二透光カバーの位置を定める効果を高める。
【００３５】
当然、本考案のライトハウジング構造は、上述第三実施例に示すとおり防塵カバーを含む構造形態で、各フレーム条２０はその最上面もしくは底面に第一透光カバー枠縁を嵌入する固定用溝２６を設置する他に、各フレーム条２０はその内側面にも防塵カバーを嵌入するための挿入溝６１を設置して防塵カバーの位置を定める効果を高める。
【００３６】
更に、本考案のライトハウジング構造は、上述各種構造形態に於いて、各フレーム条２０の掛合部２２は掛合孔である。各掛合部品４０の第一掛合体４１は一対の弾性板である。図９に示すとおり、第一透光カバー３０の掛合部３１は差込孔で、各掛合部品４０の第二掛合体４２則は差込桿である。
【００３７】
図９に示す本考案のライトハウジング構造は第二透光カバー５０を含む構造形態に於いて、前述第一透光カバー３０の掛合部３１及び該第二透光カバー５０の掛合部５１は差込孔で，各掛合部品４０の第二掛合体４２は差込桿である。
【００３８】
上述の各実施例に於いて、前述第一透光カバー３０は正多辺形の輪廓設計であるため、該第一透光カバー３０周囲に対応して囲むフレーム条２０は該第一透光カバー３０各辺面に貼り合うように直線状が良い。また該フレーム条２０は何重にも組み合わせて使用することができる(図１６参照)。当然、本考案は実施時に於いて、前述第一透光カバー３０は円形輪郭形状でもよいので、その時には該第一透光カバー３０周囲に対応して囲むフレーム条２０は図１４及び図１５に示すとおり、該第一透光カバー３０円弧面の湾曲形状に合わせ、本考案のライトハウジング構造は多種の造形変化の効果を得る。
【００３９】
従来の伝統的な構造と比較した場合、本考案のライトハウジング構造は簡単に掛合接合するだけで組立が完成し、組立が簡単なだけではなく、組立コストを下げることができる。更に、本考案のライトハウジング構造は壁面、天井、金網格子嵌入，もしくはワイヤーロープで吊り下げて使用できるため、適用性、実用性が非常に広くなる
【００４０】
上述のとおり、本考案は良好、実施可能なライトハウジング構造を提供し、実用新案を申請する。本考案の技術内容及び技術特徴は上記のとおりであるが、当領域に習熟した者が本考案の提示に基づく本考案の精神から乖離しない各種入替、修飾を行うかもしれない。拠って、本考案の保護範囲は実施例提示に制限されず、本考案から乖離しない各種入替及び修飾を含み、本考案の請求範囲に属するものとする。
【符号の説明】
【００４１】
１０        照明板
２０        フレーム条
２１        固定用溝
２２        掛合部
２３        凸部
２４        凹部
２５        穿孔
２６        固定用溝
３０        第一透光カバー
３１        掛合部
４０        掛合部品
４１        第一掛合体
４２        第二掛合体
５０        第二透光カバー
５１        掛合部
６０        防塵カバー
６１        挿入溝
７１        天井
７２        金網
７３        立架
８０        ワイヤー